(57)【要約】【課題】  インクジェットプリントにより作成されるパネルにおいて、斬新なアイデアを盛り込んだ、興趣溢れるパネルとしてのフォトプレートを提供すること。【解決手段】  フォトプレート１は、プラスチック１０の表面１１に定着された保護塗料下地層２と、表面粗処理された保護塗料下地層２にＵＶプリンターで印刷された、例えば魚の画像形成層３と、少なくともこの画像形成層３上に定着された保護塗料層４と、この保護塗料層４を削ることにより形成される模様部５と、プラスチック１０の裏面１２を削ることにより形成される模様部６を備えている。【選択図】        図１
2008075436.tif 000002
【特許請求の範囲】
【請求項１】
基材と、
この基材の表面に定着された保護塗料下地層と、
表面粗処理された前記保護塗料下地層にＵＶプリンターで印刷されて形成された画像形成層と、
この画像形成層上に定着された保護塗料層と、
前記基材の裏面側を削ることにより形成される模様部を備えたことを特徴とするフォトプレート。
【請求項２】
透明な基材と、
この基材の表面に定着された保護塗料下地層と、
表面粗処理された前記保護塗料下地層にＵＶプリンターで印刷されて形成された画像形成層と、
この画像形成層上に定着された保護塗料層と、
この保護塗料層から少なくとも前記画像形成層までを削ることにより形成される第１の模様部と、
前記基材の裏面を削ることにより形成される第２の模様部を備えたことを特徴とするフォトプレート。
【請求項３】
透明な基材と、
この基材の表面に定着された保護塗料層と、
前記基材の裏面側を削ることにより形成される模様部を備えたことを特徴とするフォトプレート。
【請求項４】
透明な基材と、
この基材の表面に定着された保護塗料層と、
前記基材の裏面に定着された保護塗料下地層と
表面粗処理された前記保護塗料下地層にＵＶプリンターで印刷されて形成された画像形成層と、
この画像形成層上に定着された保護塗料層を備えたことを特徴とするフォトプレート。
【請求項５】
透明な基材と、
この基材の表面に定着された第１の保護塗料下地層と、
表面粗処理された前記第１の保護塗料下地層にＵＶプリンターで印刷された第１の画像形成層と、
この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレート。
【請求項６】
無機物の基材と、
この基材の表面に定着された第１の保護塗料下地層と、
表面粗処理された前記第１の保護塗料下地層にＵＶプリンターで印刷された第１の画像形成層と、
この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレート。
【請求項７】
ＰＶＣ等の有機物、又は金属類の基材と、
この基材の表面に定着された第１の保護塗料下地層と、
表面粗処理された前記第１の保護塗料下地層にＵＶプリンターで印刷された第１の画像形成層と、
この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレート。
【請求項８】
一面が粗されたスリガラスと、
このスリガラスの他面に定着された保護塗料下地層と
表面粗処理された前記保護塗料下地層にＵＶプリンターで印刷されて形成された画像形成層と、
この画像形成層上に定着された保護塗料層を備えたことを特徴とするフォトプレート。
【請求項９】
透明な基材と、
この基材の表面に定着された保護塗料下地層と、
表面粗処理された前記保護塗料下地層にＵＶプリンターで印刷されて形成され、且つ、裏面を観賞面とする画像形成層と、
この画像形成層上に定着された保護塗料層からなるフォトプレートであって、
前記保護塗料層は、無色透明、半透明又は白色であることを特徴とするフォトプレート。
【発明の詳細な説明】
【技術分野】
【０００１】
本発明は、人物、動物、風景等のデジタル画像をデジタルインクジェットプリントにより基材に定着させてなるフォトプレートに関する。
【背景技術】
【０００２】
パネル基板上に保護塗料下地層が形成され、この下地層上にインクジェット画像を印刷し、さらにこの上に保護塗膜を形成して製造されるインクジェット印刷パネルが特許文献１に開示されている。
【０００３】
このようなインクジェット画像の印刷を利用する最新の特許文献として「金属建材の架飾方法」を開示する特許文献２がある。
これらの新旧文献に共通する技術的特色は、インクジェット画像の利点である「印刷媒体が限定されてないこと」、「版下の作成、管理」等が不要である事等に着目してなされていることである。
しかし、一方においては、これらの特許文献に開示されている構成、即ち、パネル基板上に保護塗料下地層が形成され、この下地層上にインクジェット画像を印刷し、さらにこの上に保護塗膜を形成する構成に大きな変化はなく、インクジェットプリントにより作成されるパネルの興趣が薄れていた。
【０００４】
【特許文献１】実開平３−５７２３５
【特許文献２】特開２００６−７６１８
【発明の開示】
【発明が解決しようとする課題】
【０００５】
そこで本願発明は、上記各特許文献から明らかとなった課題を解決するもので、インクジェットプリントにより作成されるパネルにおいて、斬新なアイデアを盛り込んだ、興趣溢れるパネルとしてのフォトプレートを提供することを目的とする。
【課題を解決するための手段】
【０００６】
上記目的を達成するため、基材（ベースとも称する）と、この基材の表面に定着された保護塗料下地層と、表面粗処理された前記保護塗料下地層にＵＶプリンターで印刷されて形成された画像形成層と、この画像形成層上に定着された保護塗料層と、前記基材の裏面側を削ることにより形成される模様部を備えたことを特徴とするフォトプレートとした（請求項１に記載の発明）。
【０００７】
画像形成層とこの画像に関連付けられる模様部により、デジタル画像に新しい興趣を引き起こすことができる。
基材としては、ガラス、プラスチック、石版、アクリル板、鉄板等、有機物、無機物、金属類等、その素材に限定されるものではない。その形状は、典型的には薄板状のものである。
【０００８】
上記目的を達成するため、透明な基材と、この基材の表面に定着された保護塗料下地層と、表面粗処理された前記保護塗料下地層にＵＶプリンターで印刷された画像形成層と、この画像形成層上に定着された保護塗料層と、この保護塗料層から少なくとも前記画像形成層までを削ることにより形成される第１の模様部と、前記基材の裏面を削ることにより形成される第２の模様部を備えたことを特徴とするフォトプレートとした（請求項２に記載の発明）。
【０００９】
上記発明の作用効果は次の通りである。
第１に、第１の模様部により、保護塗料層という画像形成層以外の部分を表現の領域とした点に斬新性がある。
第２に、前記基材の裏面を観賞面とした場合に、第１の模様部によって形成される透視模様が観賞面に表現され、興趣が高められる。
第３に、第２の模様部により、基材の裏面という画像形成層以外の部分を表現の領域とした点に斬新性がある。
第４に、第２の模様部の影が前記保護塗料下地層上に作られ、斬新性を増大させることができる。
【００１０】
上記目的を達成するため、透明な基材と、この基材の表面に定着された保護塗料層と、前記基材の裏面側を削ることにより形成される模様部を備えたことを特徴とするフォトプレートとした（請求項３に記載の発明）。
【００１１】
前記模様部から入射する光により、前記保護塗料層に前記模様部に対応する影模様が作られ、興趣あるフォトプレートとすることができる。
【００１２】
上記目的を達成するため、透明な基材と、この基材の表面に定着された保護塗料層と、前記基材の裏面に定着された保護塗料下地層と、表面粗処理された前記保護塗料下地層にＵＶプリンターで印刷されて形成された画像形成層と、この画像形成層上に定着された保護塗料層を備えたことを特徴とするフォトプレートとした（請求項４に記載の発明）。
【００１３】
前記裏面側の保護塗料層から入射する光により、画像形成層の輪郭に対応する影模様が表面側の保護塗料層に作られ、興趣あるフォトプレートとすることができる。
【００１４】
上記目的を達成するため、透明な基材と、この基材の表面に定着された第１の保護塗料下地層と、表面粗処理された前記第１の保護塗料下地層にＵＶプリンターで印刷された第１の画像形成層と、この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレートとした（請求項５に記載の発明）。
また、無機物の基材と、この基材の表面に定着された第１の保護塗料下地層と、表面粗処理された前記第１の保護塗料下地層にＵＶプリンターで印刷された第１の画像形成層と、この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレートとした（請求項６に記載の発明）。
さらに、ＰＶＣ等の有機物、又は金属類の基材と、この基材の表面に定着された第１の保護塗料下地層と、表面粗処理された前記第１の保護塗料下地層にＵＶプリンターで印刷された第１の画像形成層と、この第１の画像形成層と保護塗料層間に、少なくとも、前記第１の画像形成層上に定着された第２の保護塗料下地層と、表面粗処理された前記第２の保護塗料下地層にＵＶプリンターで印刷された第２の画像形成層を備えることを特徴とするフォトプレートとした（請求項７に記載の発明）。
【００１５】
上記請求項５〜７の各発明は、第１の画像形成層の外側に第２の保護塗料下地層と第２の画像形成層を積層させ、最外側に保護塗料層を積層させたもので、第１の画像形成層と最外側の保護塗料層との間に、第２の保護塗料下地層と第２の画像形成層のみばかりではなく、複数の保護塗料下地層と画像形成層を積層させることを提案するものである。
即ち、第１の画像形成層と第２の画像形成層に、別々の画像を表示させることによる立体表現が可能となる。
また、第１の画像形成層と第２の画像形成層に、それぞれに関連する画像を表示させることによる多層的な表現が可能となる。
第１の画像形成層には、カラー画像のまま印刷し、第２の画像形成層にはカラー画像を白黒画像のデジタル画像に変換加工したものを印刷し、重ねて表現することで立体感がでる。
また、第１の画像形成層は人物像を、第２の画像形成層はスキャナー読取画像とすることにより、その人物に関する多層的な表現が可能となる。
【００１６】
加えて第３の画像形成層を設ける場合には、第１の画像形成層、第２の画像形成層及び第３の画像形成層による立体表現が可能となる。
また、第１の画像形成層、第２の画像形成層及び第３の画像形成層による多層的な表現が可能となる。
【００１７】
例えば、第１〜第３画像形成層の３層の画像形成層により、赤、青、緑の三原色の色彩を表現できる。
例えば、第１の画像形成層は人物像を、第２の画像形成層はその人物の青年時の人物像を、第３の画像形成層はその人物の幼年時の人物像などを裏面又は表面の観賞面からみて、それぞれズラして表示させることで、その人物に関する多層的な表現が可能となる。
【００１８】
前記画像形成層には、カラー画像のまま印刷されるようにしてもよいし、カラー画像を白黒画像のデジタル画像に変換加工されて印刷されるようにしてもよい。
また、前記画像形成層には、立体物がスキャナーに読込まれて、他のデジタル画像と共に合成加工されて印刷されるようにしてもよい。
【００１９】
前記基材の表面又は裏面について、デジタル画像に応じて凹凸に形成されるようにしてもよい。
具体的な凹凸の形成方法として、彫刻機を用いてもよい。
【００２０】
前記基材を立て掛けるスタンドと、このスタンドに取付けられた音声記憶手段、発声手段、音検知手段及び中央制御装置を備えていることを特徴とするフォトプレートでもよい。
【００２１】
基材としてスリガラスを用いてもよい。
即ち、一面が粗面となり、他面が平滑面（鏡面）となっているスリガラスと、このスリガラスの鏡面に定着された保護塗料下地層と、表面粗処理された前記保護塗料下地層にＵＶプリンターで印刷されて形成された画像形成層と、この画像形成層上に定着された保護塗料層を備えたことを特徴とするフォトプレートとした（請求項８に記載の発明）。
このフォトプレートによれば、画像形成層の縁から前記鏡面に入射した光が粗面によって乱反射され、散乱或いは拡散され、その鏡面から出射される。
この出射光は、画像形成層の外縁の周囲の影を形成して、観賞者の目に入る。
その影は明確な濃淡ではなく、淡い濃淡の影を形成し、画像形成層の立体感を醸し出す。
【００２２】
上記請求項１又は請求項２の発明において、各模様部を省略してもよい。
即ち、透明な基材と、この基材の表面に定着された保護塗料下地層と、表面粗処理された前記保護塗料下地層にＵＶプリンターで印刷されて形成され、且つ、裏面を観賞面とする画像形成層と、この画像形成層上に定着された保護塗料層からなるフォトプレートであって、前記保護塗料層は、無色透明、半透明又は白色であることを特徴とするフォトプレートとした（請求項８に記載の発明）。
【発明の効果】
【００２３】
インクジェットプリントにより作成されるパネルにおいて、斬新なアイデアを盛り込んだ、興趣溢れるパネルとしてのフォトプレートを提供することができる。
【発明を実施するための最良の形態】
【００２４】
本発明に係る実施形態を図面に基づいて詳細に説明する。
図１は第１実施形態に係るフォトプレートの縦断面図、図２は同フォトプレートの斜視図である。
これらの各図及び以下に説明する各図において、同一の構成は同一の符号又は字句を付して、詳細な説明を省略する。
第１実施形態に係るフォトプレート１は、図１に示したように基材としてのプラスチック１０の表面１１に定着された保護塗料下地層２と、表面粗処理された前記保護塗料下地層２にＵＶプリンターで印刷された、例えば魚の画像形成層３と、少なくともこの画像形成層３上に定着された保護塗料層４と、この保護塗料層４を削ることにより形成される模様部５と、前記プラスチック１０の裏面１２を削ることにより形成される模様部６を備えている。
プラスチック１０は、例えば塩化ビニル樹脂（ＰＣＶ）、アクリル（ＰＭＭＡ）、ポリカーボネイト（ＰＣ）等を素材とし、透明なもの、半濁なもの、有色なものでもよい。
プラスチック１０は、薄板状のものでテーブル等に配置可能なサイズに形成されているが、そのサイズに限定されるものでもない。
プラスチック１０は、その表面（以下、一面とも称する）１１側に画像形成層３が作られ、この画像をその表面１１側から観賞することになり、その表面１１が観賞面となる。
なお、透明なものを基材とする場合には、その表面１１側に画像形成層３が作られ、この画像をその裏面（以下、他面とも称する）１２側から観賞可能なように前記画像形成層３を形成し、裏面１２を観賞面としてもよい。即ち、写像を裏面１２から観賞できるように印刷する。
【００２５】
前記プラスチック１０の表面１１には、画像形成層３の画像に応じて凹凸を形成するようにしてもよい。例えば、画像形成層３が人物像の場合にはその人物像の輪郭の凹凸を成形して、その上に画像を印刷形成するようにしてもよい。
また前記プラスチック１０の裏面１２には、彫刻機を用いて画像形成層３の画像に応じて凹凸を形成するようにしてもよい。
【００２６】
前記保護塗料下地層２は、熱硬化性樹脂であり該熱硬化性樹脂は、フェノール樹脂、アルコール樹脂、ポリエステル樹脂、ポリウレタン樹脂、ポリエチレン樹脂、アクリルメラミン樹脂、およびミネラルを充満したシリコン樹脂、からなる群の中のひとつが選択され、形成される。
これらの保護塗料下地層は、無色透明なもの、半透明なもの、不透明なものを適宜選択する。
【００２７】
前記画像形成層３は、所定の画像編集ソフトウエアを用いて作成されたデジタル画像が、表面粗処理（砂磨き、または砂吹き）された前記保護塗料下地層２上にＵＶプリンターによって印刷されて形成される。
前記画像形成層３には、カラー画像のまま印刷されるようにしてもよいし、カラー画像を白黒画像のデジタル画像に変換加工されて印刷されるようにしてもよい。
また、前記画像形成層３には、立体物がスキャナーに読込まれて、他のデジタル画像と共に合成編集されて印刷されるようにしてもよい。
本実施形態の図２のように、釣果を示す魚拓として印刷するには、魚のカラー画像を白黒画像のデジタル画像に変換し、背景等不要な画像を切り除く画像処理を行う。さらに、釣の日時、釣の場所、釣人の名前等を画像編集ソフトウエアを用い、デジタル画像と合成してもよい。
結婚式などのメモリアルな場面での写真に、挙式の日時、挙式の場所、両人の名前等を画像編集ソフトウエアを用いて、合成編集してもよい。
人物写真にその自筆の絵、書等を画像編集ソフトウエアを用いて、合成編集してもよい。
赤ちゃんの足形、手形を色紙等で得て、その色紙をスキャナーに読込んでデジタル画像化して、赤ちゃんのデジタル写真と合成して印刷することもできる。
子供の絵等をスキャナーに読込んでデジタル画像化して、子供のデジタル写真と合成して印刷することもできる。
学校の卒業記念として、恩師のデジタル写真と寄せ書きのスキャナー読取画像を合成してもよい。
ペットの写真に、その愛称、撮影日時、その愛称に対する声かけの文章等を画像編集ソフトウエアを用いて、合成編集してもよい。
写真の色についても、画像編集ソフトウエアを用いて、白黒のほかに例えばセピア調に、ポイントの写真領域のみカラー等に加工編集してもよい。
画像編集ソフトウエアを用いて種々の額縁模様を作成編集し、デジタル写真と合成してもよい。
商品を被写体として、その写真に品名、価格、内容等を作成編集し、例えば食品サンプルの代用としてもよい。
その他、「立体物」として、絵画、書道、手紙、古い写真、形見品等、画像に関連する品物がある。
【００２８】
前記保護塗料層４は、変質ＰＴＦＥ溶剤系ニス、変質ＰＶＤＦ／ＰＭＭＡ溶剤系ニス、および変質ＰＶＤＦ／ＰＭＭＡ水性ニス、からなる群の中のひとつである。
これらの保護塗料層は、無色透明なもの、半透明なもの、白色等の不透明なものを適宜選択する。
【００２９】
前記模様部５は、レーザー彫刻機、ドリル彫刻機を用い、図１に示したように基材の表面１１の保護塗料層４を削ることにより形成され、同様に模様部６は、基材の裏面１２を削って形成される。
透明な基材１０であれば、前記模様部６の彫られた模様が前記保護塗料下地層２上に影模様を形成させ、この影模様を裏面１２から楽しむことができる。
例えば前記模様部６の彫りが薄く、且つ、彫りの面積を広げれば影模様ができ易い。
前記模様部６の彫り模様と、この模様による影模様と、前記画像形成層３の画像のアンサンブルを楽しむことができる。
画像が人物像である場合にはその人物の趣味に関連する模様、例えば登山暦のある山の姿等を彫ることもできる。
また、これらの模様部５、６を形成する場合には、画像を基材の中央に形成させ、この画像と重ならないように、画像の周りに設けるようにしてもよい。
なお、模様部５、６の何れか一方のみを形成するようにしてもよい。
【００３０】
次ぎに上記フォトプレートの製造方法を説明する。
まず、基材のプラスチック１０を清浄し、乾操させる。乾燥後、基材１０の表面１１に保護塗料を２５〜５０μの厚みでスプレーがけし、そのまま１０分間静置した後、保護塗料の反応温度８０℃で２０分間焼く。使用される前記保護塗料は熱硬化性樹脂であり該熱硬化性樹脂は、フェノール樹脂、アルコール樹脂、ポリエステル樹脂、ポリウレタン樹脂、ポリエチレン樹脂、アクリルメラミン樹脂、およびミネラルを充満したシリコン樹脂、からなる群の中のひとつとする。焼いた後冷却し、前記保護塗料下地層２を形成する。
前記保護塗料によって、基材の耐磨耗性、耐候性を向上させる。その後、表面粗処理（砂磨き、または砂吹き）を行い、基材１０の表面積を増加させ、保護塗料を基材に付着する強度を高める。表面粗処理終了してから、清浄、乾燥の工程を経て前置処理が完了する。
【００３１】
次に、前記前置処理を終えた基材１０をＵＶプリンターに設置する。ＵＶプリンターは紫外線の照射によって即時に乾燥させるＵＶインクが使用されるため、材質が制限されることなく、いかなる材質にも印刷することができる。ＵＶプリンターによって直接画像を基材１０の表面１１に出力し、画像形成層３を形成する。
【００３２】
その後、後処理を行い、保護塗料を２５〜５０μの厚みでスプレーがけする。前記後処理に使われる前記保護塗料は変質ＰＴＦＥ溶剤系ニス、変質ＰＶＤＦ／ＰＭＭＡ溶剤系ニス、および変質ＰＶＤＦ／ＰＭＭＡ水性ニス、からなる群の中のひとつである。その後、１０分間静置した後、前記保護塗料の反応温度７０℃で２０分間焼き、冷却して、保護塗料層４を形成する。
その後、彫刻機等の機械により、或いは手彫りにより模様部５、６を形成する。
【００３３】
次ぎに、第２実施形態に係るフォトプレート１Ａの構成例を図３及び図４に基づいて説明する。
第２実施形態に係るフォトプレート１Ａは、図３に示したように透明な基材としてのプラスチック１０の表面１１に定着された保護塗料下地層２と、表面粗処理された前記保護塗料下地層２にＵＶプリンターで印刷された人物の画像形成層３と、この画像形成層３上に定着された保護塗料層４と、この保護塗料層４から少なくとも前記画像形成層３までを削ることにより形成される第１の模様部５と、前記プラスチック１０の裏面１２を削ることにより形成される第２の模様部６を備えている。
【００３４】
透明な基材としてのプラスチック１０は、例えば塩化ビニル樹脂（ＰＣＶ）、アクリル（ＰＭＭＡ）、ポリカーボネイト（ＰＣ）等を素材とする。
この透明なプラスチック１０を基材とする場合には、その表面１１側に画像形成層３が作られ、この画像を写像として裏面１２側から観賞することになり、裏面１２が観賞面となる。
【００３５】
第１の模様部５は、図３に示したように保護塗料層４から少なくとも前記画像形成層３までを削ることにより形成される。基材の表面１１から入射する光が裏面１２に抜けたり、基材の裏面１２に入射する光が表面１１に出射することで透かし模様的な表現が可能となる。特に前記保護塗料層４が顔料入りの色付きの場合には、透かし模様が明確となる。
第１の模様部５として、例えば実施形態のような画像形成層３の人物像の名前、愛称などのレタリングが削られる。
【００３６】
前記第２の模様部６は、基材の裏面１２を削って形成されるものであるが、削られた部分から入射する光束が前記保護塗料下地層２で十分に反射されずに、図４に示したような影１３がつけられ、裏面１２から観賞することができる。この影１３の模様によってもフォトプレートの斬新性が獲得される。
【００３７】
その他の構成、効果及び製造方法は、上記実施形態と同様である。
【００３８】
なお、図５に示したように、前記基材を立て掛けるスタンド７と、このスタンド７に内蔵され、且つ、画像形成層３の画像に関連する音声を記憶する音声記憶手段、その発声手段、音検知手段及び中央制御装置からなる回路基板８を備えていることを特徴とするフォトプレートでもよい。
例えば画像形成部３の画像が愛犬である場合に、その愛犬の鳴声を半導体記憶素子等からなる音声記憶手段に記憶させ、音検知手段の音センサが例えば愛称の呼びかけを検知することにより、スピーカ等の発声手段を介して鳴声を再生させるように前記中央制御装置が各手段を制御する。
【００３９】
次ぎに、第３実施形態に係るフォトプレート１Ｂの構成例を図６に基づいて説明する。
この第３実施形態に係るフォトプレート１Ｂは、透明な基材１０と、この基材１０の表面１１に定着された保護塗料層４、前記基材１０の裏面１２を削ることにより形成される模様部６を備えたことを特徴とするフォトプレートである。
前記保護塗料層４に前記裏面１２から入射する光を透過させないで反射させる色を用いることで、前記模様部６から入射する光により、前記保護塗料層４に前記模様部６に対応する影模様が作られ、興趣あるフォトプレートとすることができる。
その他の構成、効果及び製造方法は、上記各実施形態と同様である。
【００４０】
次ぎに、第４実施形態に係るフォトプレート１Ｃの構成例を図７に基づいて説明する。
この第４実施形態に係るフォトプレート１Ｃは、透明な基材１０と、この基材１０の表面１１に定着された保護塗料層４と、前記基材１０の裏面１２に定着された保護塗料下地層２と、表面粗処理された前記保護塗料下地層２にＵＶプリンターで印刷されて形成された画像形成層３と、この画像形成層３上に定着された保護塗料層４を備えたことを特徴とするフォトプレートである。
前記表面１１の保護塗料層４に前記裏面１２から入射する光を透過させないで反射させる色を用いることで、前記入射光により、前記表面１１の保護塗料層４に前記画像形成層３の輪郭に対応する影模様が作られ、画像形成層の画像に立体感が醸し出され、興趣あるフォトプレートとすることができる。
【００４１】
基材１０として、ガラスの一面（表面１１）がサンドブラスト加工されたガラスを用いても良い。この場合には表面１１の保護塗料層４は不要となる。そして前記サンドブラストが施されたガラスの境界面に、前記画像形成層３に対応する影模様が作られ、画像形成層の画像に立体感が醸しだされ、興趣あるフォトプレートとすることができる。また、表面１１と表面１１の保護塗料層４間に、下地層を介して前記画像形成層３を形成するようにしてもよい。
その他の構成、効果及び製造方法は、上記各実施形態と同様である。
【００４２】
次ぎに第５実施形態に係るフォトプレート１Ｄの構成例を図８及び図９に基づいて説明する。
このフォトプレート１Ｄは、図８に示したように透明な基材としてのプラスチック１０の表面に定着された第１の保護塗料下地層２と、表面粗処理された前記第１の保護塗料下地層２にＵＶプリンターで印刷された第１の画像形成層３と、この第１の画像形成層３上に定着された第２の保護塗料下地層２０と、表面粗処理された前記第２の保護塗料下地層２０にＵＶプリンターで印刷された第２の画像形成層３０と、この第２の画像形成層３０上に定着された保護塗料層４とからなる。
【００４３】
このフォトプレート１Ｄは、上記第１、第２実施形態の前記画像形成層３と前記保護塗料層４間に、前記画像形成層３上に定着された第２の保護塗料下地層２０と、表面粗処理された前記第２の保護塗料下地層２０にＵＶプリンターで印刷された第２の画像形成層３０を備えたものである。
【００４４】
前記第２の保護塗料下地層２０及び第２の画像形成層３０は、前記保護塗料下地層２及び前記画像形成層３と同様に構成することができる。
また、前記第２の保護塗料下地層２０及び第２の画像形成層３０として、例えばプラスチックのフィルムを下地層にし、その１面にＵＶプリンターでデジタル画像を印刷し、これを接着剤を介して前記画像形成層３に定着させるようにしてもよい。
【００４５】
以上のような構成の第５実施形態に係るフォトプレート１Ｄによれば、第１の画像形成層３と第２の画像形成層３０による立体表現が可能となる。
具体的には、第１の画像形成層３についてはフルカラー画像のまま印刷し、第２の画像形成層３０についてはそのグレースケール画像に変換加工したものを印刷し、重ねて表現することで立体感を表現することができる。
例えば、図９に示したように人物画像の場合にはその画像から人物画像を切出して背景を切り除く画像処理をして、その画像を第１の画像形成層３に印刷する。
そして、その人物画像を白黒に変換画像処理して、第２の画像形成層３０に印刷する。
【００４６】
また第１の画像形成層３と第２の画像形成層３０による多層的な表現が可能となる。
具体的には、第１の画像形成層３は人物像を、第２の画像形成層３０は、その人物に関連する写真等のアナログ画像をスキャナー読取画像とし、デジタル画像として印刷することにより、その人物に関する多層的な表現が可能となる。
例えば、人物の画像から背景を切り除く画像処理をして、第１の画像形成層に印刷する。そして、その人物の幼年期の写真等をスキャナーで読込んでデジタル画像化して、第２の画像形成層に印刷する。
なお、上記模様部５、６の構成を組み合わせもよい。
その他の構成及び効果等は、上記各実施形態と略同一である。
【００４７】
第６実施形態として、図１０に示したように、前記画像形成層３と前記保護塗料層４間に、前記第２の保護塗料下地層２０と第２の画像形成層３０に加え、第２の画像形成層３０上に定着された第３の保護塗料下地層２１と、表面粗処理された前記第３の保護塗料下地層２１にＵＶプリンターで印刷された第３の画像形成層３１を備えるようにしてもよい。
【００４８】
この第６実施形態によれば、第１の画像形成層３と第２の画像形成層３０と第３の画像形成層３１の３層による立体表現が可能となる。
具体的には、３層の画像形成層により、赤、青、緑の三原色を表現できる。
例えば、フルカラー画像を赤、青、緑の三原色にそれぞれ色変換させて、第１の画像形成層３には赤画像を、第２の画像形成層３０には青画素を、第３の画像形成層３１には緑画像それぞれ印刷することで興趣を起こさせることができる。
また、第１の画像形成層３と第２の画像形成層３０と第３の画像形成層３１による多層的な表現が可能となる。
具体的には、第１の画像形成層３は人物像を、第２の画像形成層３０はその人物の青年時の人物像を、第３の画像形成層３１はその人物の幼年時の人物像など、その人物に関する多層的な表現が可能となる。
その他の構成及び効果等は、上記各実施形態と略同一である。
【００４９】
上記各実施形態では、基材として透明なプラスチックを用いたが、これ以外の有機物又は金属類の基材を用い、上記各実施形態と略同一の構成とし、且つ、略同一の製作方法とするフォトプレートでもよい。
なお、不透明な基材を用いる場合には、その表面側に画像形成層が作られ、且つ、表面側が観賞面となる。
よって、複数の画像形成層を形成する場合、例えば第３の画像形成層まで形成する場合には、図１１に示したように第３の画像形成層３１Ａが最外側の観賞面となる。
【００５０】
無機物の基材を用い、上記各実施形態と略同一の構成にしてもよい。
なお、無機物の基材を用い場合のフォトプレートの作成方法は次の通りである。
【００５１】
無機物に加工する時、タイルを例とすると、まずタイルを清浄して清浄されたタイルを乾燥させる。乾燥後、該タイルの表面に処理剤をスプレーがけして前記処理剤の反応に必要な温度８０℃で２０分間焼き、その後、焼かれたタイルを冷却させる。冷却後、保護塗料を２５〜５０μの厚みでスプレーがけし、そのまま１０分間静置してから１６０℃で２０分間焼く。ここに前記保護塗料下地層２等が形成される。冷却後に、表面粗処理（砂磨きや砂吹き）を行い、該粗処理してから、タイルを洗浄、乾燥し、これをもって前記前置処理が完了する。
【００５２】
前記前置処理に使用される前記処理剤はベースと画像との問の付着力を高める。スプレーがけされる前記保護塗料は熱硬化性樹脂であり、該熱硬化性樹脂はフェノール樹脂、アルコール樹脂、ポリエステル樹脂、ポリウレタン樹脂、ポリエチレン樹脂、アクリルメラミン樹脂、およびミネラルを充満したシリコン樹脂、からなる群の中の一つとする。また、前記保護塗料の前記熱硬化性樹脂によって、タイルの耐磨耗性、耐候性を向上させる。
また、表面粗処理によってタイルの表面積を増加させ、同時に材料の間の付着面積を増加させる。
【００５３】
次に、前記前置処理を終えたタイルをＵＶプリンターに設置する。ＵＶプリンターは紫外線の照射によって即時に乾燥させるＵＶインク（ＵＶ  ｃｕｒａｂｌｅｉｎｋ）を採用しており、材質が制限されず、いかなる材質にも直接印刷することができる。ＵＶプリンターによって直接に画像をタイルの表面に出力する。ここに画像形成層３等が形成される。
【００５４】
この画像の耐磨耗性、耐候性を強化するために後処理を行う。保護塗料を２５〜５０μの厚みでスプレーがけし、１０分間静直してから保礎塗料の反応温度１６０℃で２０分間焼き、冷却して、前記後処理が完了する。ここに保護塗料層４が形成される。
【００５５】
前記後処理に使われる前記保護塗料はアクリルメラミン樹脂、アクリルスチレン（ｓｔｒｙｅｎｅ）−エポキシ樹脂の混合物、変質ＰＴＦＥ溶剤系ニス、変質ＰＶＤＦ／ＰＭＭＡ溶剤系ニス、および変質ＰＶＤＦ／ＰＭＭＡ水性ニス、からなる群の中の一つとする。
また、表面粗処理によってタイルの表面積を増加させ、保護塗料をタイルに付着する強度をさらに高める。
【００５６】
なお、本発明に係るフォトプレートの製造方法は、上記方法に限定されるものではない。
【００５７】
次ぎに図１２及び図１３に基づいて、第７実施形態の構成例を説明する。
この第７実施形態では、基材１０としてスリガラスを用いる。
即ち、一面１１がサンドブラスト加工されて粗面となり、他面１２が平滑面（鏡面ともいう）となっている、薄板状のスリガラスの鏡面に、保護塗料下地層２と、表面粗処理された前記保護塗料下地層２にＵＶプリンターで印刷されて形成された画像形成層３と、少なくとも画像形成層３上に定着された保護塗料層４を積層してフォトプレート１Ｆを構成している。
【００５８】
前記スリガラスは、テーブル等に配置可能なサイズに形成されているが、そのサイズに限定されるものでもない。
前記保護塗料下地層２及び保護塗料層４は、無色透明な材質のものを選択する。
前記画像形成層３は、前記平滑面１２の全面に形成されるものではなく、平滑面上に印刷されないスペースを残し、前記平滑面１２に画像形成層３の外縁３２を形成できるようにする。
【００５９】
上記構成のフォトプレート１Ｆにおいては、図１２に図示したように、画像形成層３の外縁３２に沿って、その外縁３０の淡い影３３がグラデーション状に観察される。
【００６０】
そのメカニズムは次のように説明することができる。
図１２に示したように、画像形成層３として人物像を他面１２に印刷したとする。
この場合、図１３に示したように、他面１２に入射した光は、一面１１の粗面によって乱反射され、散乱或いは拡散される。それらの反射光が画像形成層３方向に反射して進行すればその画像形成層３で遮断され、観察者の目に入ることはない。
一方、画像形成層３の外縁３２の周囲において他面１２から外側に出射する反射光は、外縁３２から離れるに従い、漸次、増加し、その強度が高まるものとなる。
その結果、画像形成層３の外縁３２、即ち、人物像の周囲から離れる従い、漸次に強度が強くなる反射光が出射されて、グラデーション状の影が形成されて、観賞者の目に入ることになる。
その影は明度がはっきりした影ではなく、拡散される光である故に、淡い濃淡の影を形成し、画像形成層の立体感を醸し出すことに成功している。
なお、この実施形態では一面１１に進入してきた光束を反射させる反射面としての保護塗料層は不要となる。
その他の構成及び効果等は、上記各実施形態と略同一である。
【００６１】
上記第１実施形態における各模様部を省略し、図１４のようなフォトプレート１Ｇにしてもよい。
即ち、透明な基材１０と、この基材１０の表面１１に定着された保護塗料下地層２と、表面粗処理された前記保護塗料下地層２にＵＶプリンターで印刷されて形成され、且つ、裏面１２から写像が観察できる観賞面とする画像形成層３と、この画像形成層３上に定着された保護塗料層４からなるフォトプレートであって、前記保護塗料層４は、無色透明、半透明又は白色としている。
その他の構成及び効果等は、上記各実施形態と略同一である。
【図面の簡単な説明】
【００６２】
【図１】第１実施形態に係るフォトプレートの縦断面図、
【図２】同斜視図、
【図３】第２実施形態に係るフォトプレートの縦断面図、
【図４】同斜視図、
【図５】スタンドに立て掛けられるフォトプレートの斜視図、
【図６】第３実施形態に係るフォトプレートの縦断面図、
【図７】第４実施形態に係るフォトプレートの縦断面図、
【図８】第５実施形態に係るフォトプレートの縦断面図、
【図９】同略斜視図、
【図１０】第６実施形態に係るフォトプレートの縦断面図、
【図１１】同実施形態に係るフォトプレートの縦断面図、
【図１２】第７実施形態に係るフォトプレートの正面図、
【図１３】同実施形態に係るフォトプレートの縦断面図、
【図１４】第８実施形態に係るフォトプレートの縦断面図である。
【符号の説明】
【００６３】
１  １Ａ  １Ｂ  １Ｃ  １Ｄ  １Ｅ  １Ｆ  １Ｇ  フォトプレート
２  ２Ａ  保護塗料下地層
３  ３Ａ  画像形成層
４  保護塗料層
５  第１の模様部  模様部
６  第２の模様部  模様部
８  回路基板
１０  基材  プラスチック
１１  表面
１２  裏面
１３  ３３  影
２０  ２０Ａ  第２の保護塗料下地層
３０  ３０Ａ  第２の画像形成層
２１  ２１Ａ  第３の保護塗料下地層
３１  ３１Ａ  第３の画像形成層
３２  外縁
【図１】
2008075436.tif 000003
【図２】
2008075436.tif 000004
【図３】
2008075436.tif 000005
【図４】
2008075436.tif 000006
【図５】
2008075436.tif 000007
【図６】
2008075436.tif 000008
【図７】
2008075436.tif 000009
【図８】
2008075436.tif 000010
【図９】
2008075436.tif 000011
【図１０】
2008075436.tif 000012
【図１１】
2008075436.tif 000013
【図１２】
2008075436.tif 000014
【図１３】
2008075436.tif 000015
【図１４】
2008075436.tif 000016